(57)【特許請求の範囲】
【請求項１】
所定の間隔で配置される複数の潜像形成手段を有する画像出力装置に対して、前記複数の画像形成手段の各々に対応する色信号の画像データを前記所定の間隔に応じた時間差を有するタイミングで供給する画像処理装置において、
原稿画像を走査して当該原稿に対応した画像データを生成する画像データ生成手段と、
原稿の各ページに対応する前記画像データの出力形態が入力される出力形態入力手段と、
前記画像データ生成手段が生成した前記画像データを用いて、前記原稿画像中に所定の禁止画像が存在するか否かを判別する判別手段と、
前記画像データ生成手段により生成された前記画像データをページ単位で蓄積するとともに、前記所定の間隔に応じた時間差を有するタイミングかつ前記出力形態入力手段によって入力された出力形態に応じたページ順で、蓄積された前記画像データを色信号毎に出力する蓄積手段と、
前記判別手段によって前記禁止画像が存在すると判別された場合には前記原稿画像とは明らかに異なる画像になるように前記蓄積手段から出力される所定の色信号の画像データを加工して出力し、前記禁止画像が存在しないと判別した場合には前記蓄積手段から出力される画像データをそのまま出力する加工手段と
を具備し、
前記加工手段は、前記出力形態入力手段によって入力された出力形態に基づいて前記蓄積手段が出力する画像データのページ順が、前記画像データ生成手段により生成された画像データのページ順と異なる場合、前記蓄積手段に画像データを蓄積する前に、前記原稿画像とは明らかに異なる画像になるように前記画像データ生成手段により生成された所定の色信号の画像データを加工して前記蓄積手段に出力する
ことを特徴とする画像処理装置。
【発明の詳細な説明】
【０００１】
【発明の属する技術分野】
この発明は、入力画像が複写すべきでない特定原稿画像であるか否かを判別する機能を有する画像処理装置に関する。
【０００２】
【従来の技術】
近年、高性能のカラー画像複写装置が普及してきており、画像入出力機器の高画質化に伴って、さらに原稿画像を忠実に複写することが可能となってきている。一方、このような画像複写装置を悪用した紙幣や有価証券などの偽造を防止することが社会的に重要になってきている。そこで、カラー原稿をデジタル的に読み取って複写する際に読み取った原稿画像中の特定パターンを識別し、紙幣や有価証券などの複写禁止物であると判定された場合には、画像の再現（コピー出力）を阻止するという発明が各種提案されている。
【０００３】
ところで、近年のデジタル／ネットワーク技術の進歩・普及により、カラー複写機は、よリシステム化された形態、すなわち単に原稿を複写するだけでなく、ページ編集を可能とし、出力ページをページ順に出力するソート、部単位で出力するコレート、小冊子を作成すべく所定のページ順、面付けで出力するシグネチャなど、各種コピーモードを有する画像処理装置を備える形態で構成されることが増えてきている。
【０００４】
図４は、禁止画像の複写防止機能を有する典型的なカラー複写機の略構成を示すブロック図である。画像読取部１０１は、主に原稿画像からレッド（Ｒ）、クリーン（Ｇ）、ブルー（Ｂ）のデジタル画像信号を生成する。複写禁止原稿検知部１０２は、画像読取部１０１が出力するＲＧＢ信号を解析し、原稿画像内に紙幣や有価証券等の複写禁止画像が含まれているか否かを判定する。画像処理部１０３は、ＲＧＢ画像信号からＹＭＣＫ画像信号を生成する。画像蓄積部１０４は、画像処理部１０３により画像処理された画像信号を所定の方式により圧縮してページ単位で蓄積するとともに、所定のタイミングで、蓄積した画像信号を画像処理部１０３に供給する。このとき、各種コピーモードに対応すべく、画像信号の読み出し順（ページ順）や画像の回転などを制御し、ページ編集を可能としている。また、画像加工部１０５は、画像信号を予め設定されている特定の値で塗り漬す。画像出力部１０６は、イエロー（Ｙ）、マゼンタ（Ｍ）、シアン（Ｃ）、ブラック（Ｋ）の色材によリフルカラー画像を再現する。
【０００５】
このカラー複写機では、画像読取部１０１で原稿を走査することにより、Ｒ，Ｇ，Ｂの画像信号を生成し、画像処理部１０３において色補正によりＹ，Ｍ，Ｃ，Ｋの出力用信号を生成し、拡大・縮小、空間補正などの画像処理を施し、画像出力部１０６で印字動作が行われる。このとき、画像加工部１０５は、複写禁止原稿検知部１０２で原稿画像内に複写禁止画像が含まれていると検知された場合には、画像処理部１０３から画像出力部１０６へＣまたはＫの画像信号が出力されるタイミングで、画像信号を塗り漬すことにより、紙幣や有価証券などの複写禁止物の複写を防止する。
【０００６】
しかしながら、上述した従来技術では、上記ソート、コレート、シグネチャなどのページ編集を行う場合には、読み込んだ画像信号を画像蓄積部１０４に一旦蓄積した後、該蓄積した画像信号を出力する際に、対応するページ編集を行い、画像出力部１０６により出力することになる。この場合、画像蓄積部１０４には、複写禁止原稿と判定された原稿画像が蓄積されることになるので、複写禁止原稿（ページ）のみの再現を防止するには、何枚目の原稿に複写禁止画像が含まれるかという情報を別途記憶し、それに応じた画像加工を行わなければならず、システムの構成や制御が複雑化してしまうという問題がある。
【０００７】
そこで、図５に示すように、画像加工部１０５を画像処理部１０３の前段に配置し、画像蓄積部１０４に蓄積する前に、複写禁止原稿と判定された原稿画像に対し、複写禁止の画像加工を施す画像処理装置が提案されている。図５に示す構成によれば、システムの構成や制御を複雑化することなく、複写禁止原稿（ページ）のみに対して、複写禁止の画像加工を施して画像蓄積部１０４に蓄積することができる。
【０００８】
【発明が解決しようとする課題】
ところで、上述したカラー複写機は、画像出力部１０６における画像形成部が１つのものを想定している。すなわち、画像出力部１０６では、画像処理部１０３から出力されるＹＭＣＫ毎に、感光ドラムに４回潜像を形成し、出力するようになっている。これに対して、処理速度を向上させるために、画像出力部１０６における画像形成部をＹＭＣＫ毎に備え、各画像形成部の配置ギャップを考慮したタイミングで、画像処理部１０３からＹＭＣＫの原稿画像を出力し、連続的に画像を形成して出力するタンデム型のカラー複写機が知られている。
【０００９】
次に、上述したタンデム型のカラー複写機に、前述した禁止画像の複写防止機能を有する画像処理装置を適用した場合の動作について説明する。ここで、図６は、従来のタンデム型のカラー複写機の動作を説明するためのタイミングチャートである。図５に示す画像読取部１０１が原稿を走査し（ＳＣＡＮを参照）、原稿画像を読み取ると、複写禁止原稿検知部１０２による禁止画像の有無判定結果が取得された後、画像処理部１０３へ供給される（ＹＭＣＫ  Ｐsyncを参照）。これは、画像処理部１０３へ供給する前に画像加工を行うためである。画像処理部１０３では、所定の画像処理が施された後、画像蓄積部１０４または画像出力部１０６へ出力される。画像出力部１０６へは、図示するように、Ｙ  Ｐsync、M  Ｐsync、Ｃ  Ｐsync、K  Ｐsyncに同期して、ＹＭＣＫの画像信号が供給される。なお、禁止画像の複写防止を実行しない場合には、図示の点線で示すように、原稿を走査とほぼ同時に出力することが可能である。
【００１０】
このように、タンデム型のカラー複写機に、前述した禁止画像の複写防止機能を有する画像処理装置を適用した場合、複写禁止画像が含まれているか否かの判断結果が得られるまで、原稿画像を出力することができないため、処理速度が遅くなり、次の原稿走査までの生産性が低下するという問題があった。
【００１１】
この発明は上述した事情に鑑みてなされたもので、タンデム型の複写機においても、生産性を低下させることなく、禁止画像の複写防止を行うことができる画像処理装置を提供することを目的としている。
【００１２】
【課題を解決するための手段】
上述した問題点を解決するために、本発明では、所定の間隔で配置される複数の潜像形成手段を有する画像出力装置に対して、前記複数の画像形成手段の各々に対応する色信号の画像データを前記所定の間隔に応じた時間差を有するタイミングで供給する画像処理装置において、原稿画像を走査して当該原稿に対応した画像データを生成する画像データ生成手段と、原稿の各ページに対応する前記画像データの出力形態が入力される出力形態入力手段と、前記画像データ生成手段が生成した前記画像データを用いて、前記原稿画像中に所定の禁止画像が存在するか否かを判別する判別手段と、前記画像データ生成手段により生成された前記画像データをページ単位で蓄積するとともに、前記所定の間隔に応じた時間差を有するタイミングかつ前記出力形態入力手段によって入力された出力形態に応じたページ順で、蓄積された前記画像データを色信号毎に出力する蓄積手段と、前記判別手段によって前記禁止画像が存在すると判別された場合には前記原稿画像とは明らかに異なる画像になるように前記蓄積手段から出力される所定の色信号の画像データを加工して出力し、前記禁止画像が存在しないと判別した場合には前記蓄積手段から出力される画像データをそのまま出力する加工手段とを具備し、前記加工手段は、前記出力形態入力手段によって入力された出力形態に基づいて前記蓄積手段が出力する画像データのページ順が、前記画像データ生成手段により生成された画像データのページ順と異なる場合、前記蓄積手段に画像データを蓄積する前に、前記原稿画像とは明らかに異なる画像になるように前記画像データ生成手段により生成された所定の色信号の画像データを加工して前記蓄積手段に出力することを特徴とする。
【００１３】
この発明によれば、蓄積手段は、画像データ生成手段により生成した画像データを一旦蓄積するとともに、該蓄積した画像データを、画像出力装置が備える複数の画像形成手段の各々に対応する色信号順に、複数の画像形成装置が配置されている所定の間隔に応じた時間差を有するタイミングで出力する。このとき、判別手段により複写禁止原稿を検知した時点で、それ以降に蓄積手段から出力される色信号の画像データに対して、加工手段により複写禁止画像の再現を防止するための加工を行う。したがって、タンデム型のカラー複写機であっても、複数の画像形成装置が配置されている所定の間隔に応じた時間差を有するタイミングで各色信号の画像データを出力することができるので、生産性を低下させることなく、またその多彩なページ編集機能を犠牲にすることなく、複写禁止画像の再現を防止することが可能となる。
【００１４】
【発明の実施の形態】
次に図面を参照してこの発明の実施形態について説明する。
Ａ．実施形態の構成
図１は、本発明の一実施形態による画像処理装置の構成を示すブロック図である。なお、図５に対応する部分には同一の符号を付けて説明を省略する。図において、ＩＩＴメモリ２００は、画像読取部１０１で読み取ったＲＧＢの原稿画像を一時的に記憶するバッファであり、原稿画像の書き込みと、該記憶した原稿画像の読み出しとを並行して行うＦＩＦＯとして動作する。
【００１５】
画像蓄積部２１０は、画像処理部１０３から上記画像加工後のＹ，Ｍ，Ｃ，Ｋ画像信号を受け取り蓄積保持する手段であって、図示しない操作部より、スタック、丁合などのソート機能や、回転、Ｎｕｐ、シグネチヤ、両面印字などのページ編集機能が選択された時に、画像読取部１０１で読み込んだ全ページ分の原稿画像をページ単位で一時的に保存するとともに、該保存と並行して、保存した原稿画像を所定のページ順で、後述する画像出力部１０６におけるタンデム型の画像形成部のギャップに応じたタイミングに同期させて、Ｙ→Ｍ→Ｃ→Ｋの順で画像処理部１０３へ順次送出する。
【００１６】
このとき、上記ページ編集が選択された場合には、画像蓄積部１０３において、所定の印字順序で原稿画像を読み出して、画像回転・合成処理などを行った後、画像処理部１０３に出力する。また、複写禁止原稿検知部１０２からの原稿判定信号が原稿画像中に複写禁止画像が含まれていることを示す場合には、画像加工が行われてから出力されることになる。上記原稿判定信号は、当該画像蓄積部２１０から対応する原稿画像の「Ｃ」を画像出力部１０６へ出力するまでには当該画像蓄積部２１０に供給される。
【００１７】
以下、画像蓄積部２１０について詳細に説明する。画像蓄積部２１０は、符号化部２１３、蓄積部２１４、復号化部２１５、ページメモリ２１６、画像加工部２１７および制御部２１８から構成されている。符号化部２１３は、入力されるＹ／Ｍ／Ｃ／Ｋ信号を例えばＪＰＥＧなどに代表される所定の符号化方式でページ単位・色毎に符号化（圧縮）して蓄積部２１４へ出力する。蓄積部２１４は、符号化部２１３により符号化（圧縮）された画像データをページ単位で記憶する。蓄積部２１４は、原稿画像を複数ページにわたって記憶することが可能な大容量の記憶手段であり、例えばハ−ドディスク装置などにより実現される。
【００１８】
復号化部２１５は、蓄積部２１４にページ単位に記憶された画像データを、所定のページ順に読み出して所定の伸長方式によリＹ／Ｍ／Ｃ／Ｋ画像信号を復号した後、ページメモリ２１６へ画像信号を出力する。ページメモリ２１６は、復元された１ページ分の画像を記憶保持する。画像加工部２１７は、ページメモリ２１６に一旦蓄積されたページ単位の画像データを、画像出力部１０６の印字動作（ＹＭＣＫ  Ｐsync）に同期させて画像処理部１０３へ出力する。制御部２１８は、上述した各処理部および各処理部を接続するバスを制御する。
【００１９】
画像出力部１０６は、画像処理部１０３から順次供給されるＹ／Ｍ／Ｃ／Ｋ信号に従って、タンデム型の画像形成部１０６ａ，１０６ｂ，１０６ｃ，１０６ｄにより、イエロー（Ｙ）、マゼンタ（Ｍ）、シアン（Ｃ）、ブラック（Ｋ）の４色のトナーで、Ｙ→Ｍ→Ｃ→Ｋの順番で連続的に印字動作を行うことによってフルカラー画像のプリントを行う。
【００２０】
Ｂ．実施形態の動作
次に、上述した実施形態の動作について説明する。ここで、図２は、上述した画像処理装置の動作を説明するためのフローチャートであり、図３は、タイミングチャートである。まず、ステップＳ１で、ユーザがＵＩにより圧縮モードを選択したか否かを判断する。本実施形態によるカラー複写機には、原稿画像を画像蓄積部２１０に蓄積する際に、符号化部２１３により圧縮して蓄積する圧縮モードと、圧縮せずに蓄積（またはページメモリ２１６での処理）する非圧縮モードとがある。非圧縮モードでは、原稿画像が圧縮されない分、画質の劣化を抑えることが可能である。圧縮モードで処理するか、非圧縮モードで処理するかは、ＵＩからユーザが指示することができるようになっている。
【００２１】
そして、画質を優先するべく、非圧縮モードが指示されている場合には、ステップＳ３へ進み、複写禁止画像が含まれる場合には、画像蓄積部２１０からの出力時に、画像出力部１０６における画像形成部間のギャップを利用して画像加工部２１７により画像加工を行うとともに、蓄積部２１４またはページメモリ２１６上の原稿画像を出力後に削除するように動作すべく動作モードを設定する。そして、ステップＳ６で、ＵＩによりコピースキャンボタンが押下されたか否かを判断し、押下されると、上記動作モードに従って複写動作を実行する。
【００２２】
一方、ユーザがＵＩにより圧縮モードが指示された場合には、ステップＳ３で、ページ編集（スタック、コレート、シグネチャなど）が指示されているか否かを判断する。ここで、ページ編集が指示されていない場合には、画像読取部１０１により読み取った原稿画像を一旦、画像蓄積部２１０の蓄積部２１４に圧縮して蓄積するとともに、これと並行して画像出力部１０６に出力する必要があるので、ステップＳ４で、複写禁止画像が含まれる場合には、画像蓄積部２１０からの出力時に、画像出力部１０６における画像形成部間のギャップを利用して画像加工部２１７により画像加工を行うとともに、蓄積部２１４上の原稿画像を出力後に削除するように動作すべく動作モード（第１の動作モード）を設定する。そして、ステップＳ６で、ＵＩによりコピースキャンボタンが押下されたか否かを判断し、押下されると、上記動作モード（第１の動作モード）に従って複写動作を実行する。
【００２３】
一方、ページ編集が指示されている場合には、画像読取部１０１により読み取った原稿画像を一旦、画像蓄積部２１０の蓄積部２１４に圧縮して蓄積した後、所定のページ順で、ページメモリ２１６を介して画像出力部１０６に出力する必要があるので、ステップＳ５で、複写禁止画像が含まれる場合には、画像蓄積部２１０の入力時に、画像加工部２１７により画像加工を行うとともに、蓄積部２１４上の原稿画像を出力後に削除するように動作すべく動作モード（第２の動作モード）を設定する。そして、ステップＳ６で、ＵＩによりコピースキャンボタンが押下されたか否かを判断し、押下されると、上記動作モード（第２の動作モード）に従って複写動作を実行する。
【００２４】
以下、上述した動作モードによる複写動作について詳細に説明する。
Ｂ−１．第１の動作モード
画像読取部１０１は、原稿を走査することにより、原稿画像を読み取り（図３のＳＣＡＮを参照）、ＲＧＢの原稿画像としてＩＩＴメモリ２００に供給される。ＩＩＴメモリ２００では、上記原稿画像が順次格納されるとともに、これに並行して複写禁止原稿検知部１０２および画像処理部１０３に供給される。複写禁止原稿検知部１０２では、順次供給される原稿画像内に複写禁止画像が含まれていないかを検知していく。複写禁止画像は、ページの最後の部分に含まれている可能性もあるので、複写禁止原稿検知部１０２が原稿判定信号を送出するのは、ＩＩＴメモリ２００から原稿１ページの最後のデータが供給されてから、検知処理に要する所定の時間経過後である（図３の点線を参照）。
【００２５】
一方、画像処理部１０３では、ＩＩＴメモリ２００から順次供給されるＲＧＢの原稿画像を、ＹＭＣＫの原稿画像に変換するとともに、各種画像処理を施した後、画像蓄積部２１０へ順次送出する（図３のＹＭＣＫ  Ｐsyncを参照）。画像蓄積部２１０では、非圧縮モードが指定されている場合には、上記画像処理が施された原稿画像をそのままページメモリ２１６に順次格納し、圧縮モードおよびページ編集が指定されている場合には、上記画像処理が施された原稿画像を、符号化部２１３により圧縮した後、蓄積部２１４に順次格納していく。
【００２６】
そして、画像出力部１０６から図３に示すＹ  Ｐsyncが供給されるタイミングで、「Ｙ」の原稿画像を読み出して画像処理部１０３へ送出する。このとき、非圧縮モードが指定されている場合には、ページメモリ２１６から読み出して出力し、圧縮モードおよびページ編集が指定されている場合には、蓄積部２１４から読み出した圧縮された原稿画像を復号化部２１５で伸長してページメモリ２１６に展開した後、ページメモリ２１６から読み出して出力する。画像処理部１０３では、上記「Ｙ」の原稿画像に最終の画像処理（階調補正など）を施した後、画像出力部１０６に送出する。画像出力部１０６では、上記「Ｙ」の原稿画像に従って、対応する画像形成部１０６ａで「Ｙ」の原稿画像の潜像を形成する。
【００２７】
次に、画像出力部１０６から図３に示すM  Ｐsyncが供給されるタイミングで、「Ｙ」の原稿画像と同様に、「Ｍ」の原稿画像を読み出して画像処理部１０３へ送出する。画像処理部１０３では、上記「Ｍ」の原稿画像に最終の画像処理（階調補正など）を施した後、画像出力部１０６に送出する。画像出力部１０６では、上記「Ｍ」の原稿画像に従って、対応する画像形成部１０６ｂで「Ｍ」の原稿画像の潜像を形成する。
【００２８】
上記「Ｍ」の原稿画像を読み出して画像処理部１０３へ送出している時点で、画像蓄積部２１０には、上述したように、複写禁止原稿検知部１０２における複写禁止原稿の検知結果を示す原稿判定信号が供給される。そして、原稿判定信号が複写禁止原稿であることを示す場合、画像出力部１０６から図３に示すＣ Ｐsyncが供給されるタイミングで、「Ｃ」の原稿画像を読み出し、画像加工部２１７により、Ｃ信号の階調を反転して出力するなどして、その忠実な再現を阻止すべく画像を加工した後、画像処理部１０３へ送出する。画像処理部１０３では、上記階調反転された「Ｃ」の原稿画像に最終の画像処理（階調補正など）を施した後、画像出力部１０６に送出する。画像出力部１０６では、上記反転された「Ｃ」の原稿画像に従って、対応する画像形成部１０６ｃで「Ｃ」の原稿画像の潜像を形成する。したがって、複写禁止原稿は忠実に出力されない。
【００２９】
同様に、画像出力部１０６からＫ Ｐsyncが供給されると、「Ｋ」の原稿画像を読み出して画像処理部１０３へ送出する。画像処理部１０３では、上記「Ｋ」の原稿画像に最終の画像処理（階調補正など）を施した後、画像出力部１０６に送出する。画像出力部１０６では、上記「Ｋ」の原稿画像に従って、対応する画像形成部１０６ｄで「Ｋ」の原稿画像の潜像を形成する。
【００３０】
画像出力部１０６では、用紙が搬送されながら各画像形成部１０６ａ〜１０６ｄで対応する画像が転写されて出力される。複写禁止原稿である場合には、「Ｃ」の原稿画像が階調反転されているので、禁止画像は、そのまま複写されることなく出力される。また、タンデム型の複写機であるにもかかわらず、生産性を低下させることなく、禁止画像の複写防止を行うことができる。
【００３１】
Ｂ−２．第２の動作モード
画像読取部１０１は、原稿を走査することにより、原稿画像を読み取り、ＲＧＢの原稿画像としてＩＩＴメモリ２００に供給される。ＩＩＴメモリ２００では、上記原稿画像が順次格納されるとともに、これに並行して複写禁止原稿検知部１０２および画像処理部１０３に供給される。複写禁止原稿検知部１０２では、順次供給される原稿画像内に複写禁止画像が含まれていないかを検知していく。複写禁止画像は、ページの最後の部分に含まれている可能性もあるので、複写禁止原稿検知部１０２が原稿判定信号を送出するのは、ＩＩＴメモリ２００から原稿１ページの最後のデータが供給されてから、検知処理に要する所定の時間経過後である。
【００３２】
一方、画像処理部１０３では、ＩＩＴメモリ２００から順次供給されるＲＧＢの原稿画像を、ＹＭＣＫの原稿画像に変換するとともに、各種画像処理を施した後、画像蓄積部２１０へ順次送出する。画像蓄積部２１０では、上記画像処理が施された原稿画像をページメモリ２１６に一旦保持し、上記複写禁止原稿検知部１０２から原稿判定信号が供給されるまで待機する。そして、複写禁止原稿検知部１０２における複写禁止原稿の検知処理が終了し、原稿判定信号が供給されると、原稿判定信号が複写禁止原稿であることを示す場合、ページメモリ２１６に一旦保持した原稿画像に対し、画像加工部２１７により、Ｃ信号の階調を反転するなどして、その忠実な再現を阻止すべく画像を加工した後、符号化部２１３により圧縮し、蓄積部２１４に順次格納していく。一方、原稿判定信号が複写禁止原稿でないことを示す場合には、ページメモリ２１６に一旦保持した原稿画像に対し画像加工を行うことなく、符号化部２１３により圧縮し、蓄積部２１４に順次格納していく。複数ページの原稿に対して、上述した動作を繰り返し、全ての原稿画像を画像蓄積部２１０に全原稿画像を蓄積する。
【００３３】
そして、全ての原稿画像を画像蓄積部２１０に蓄積した後、画像出力部１０６からＹ  Ｐsyncが供給されると、ページ編集に応じた所定ページの「Ｙ」の原稿画像を蓄積部２１４から読み出し、復号化部２１５により伸長してページメモリ２１６に展開した後、画像処理部１０３へ送出する。画像処理部１０３では、上記「Ｙ」の原稿画像に最終の画像処理（階調補正など）を施した後、画像出力部１０６に送出する。画像出力部１０６では、上記「Ｙ」の原稿画像に従って、対応する画像形成部１０６ａで「Ｙ」の原稿画像の潜像を形成する。
【００３４】
次に、画像出力部１０６から図３に示すM  Ｐsyncが供給されるタイミングで、同ページの「Ｍ」の原稿画像を読み出して画像処理部１０３へ送出する。画像処理部１０３では、上記「Ｍ」の原稿画像に最終の画像処理（階調補正など）を施した後、画像出力部１０６に送出する。画像出力部１０６では、上記「Ｍ」の原稿画像に従って、対応する画像形成部１０６ｂで「Ｍ」の原稿画像の潜像を形成する。
【００３５】
同様に、画像出力部１０６からＣ Ｐsyncが供給されるタイミングで、「Ｃ」の原稿画像を読み出し、画像処理部１０３へ送出し、画像出力部１０６からＫＰsyncが供給されるタイミングで、「Ｋ」の原稿画像を読み出して画像処理部１０３へ送出する。画像処理部１０３では、上記「Ｃ」、「Ｋ」の原稿画像に順次最終の画像処理（階調補正など）を施した後、画像出力部１０６に送出する。画像出力部１０６では、上記「Ｃ」の原稿画像に従って、対応する画像形成部１０６ｃで「Ｃ」の原稿画像の潜像を形成し、上記「Ｋ」の原稿画像に従って、対応する画像形成部１０６ｄで「Ｋ」の原稿画像の潜像を形成する。
【００３６】
画像出力部１０６では、用紙が搬送されながら各画像形成部１０６ａ〜１０６ｄで対応する画像が転写されて出力される。原稿が複写禁止原稿である場合には、「Ｃ」の原稿画像が階調反転されているので、禁止画像は、そのまま複写されることなく出力される。以下、ページ編集に応じたページ順に、Ｙ，Ｍ，Ｃ，Ｋの原稿画像が順次画像出力部１０６により出力される。この場合、従来技術と同様に、複写禁止画像が含まれているか否かの判断結果が得られるまで、原稿画像を蓄積することができないため、処理速度の低下を防止することはできないが、禁止画像の複写防止を行うことは十分に可能である。
【００３７】
なお、上述した実施形態では、Ｃ信号の階調を反転したが、これに限定されることなく、Ｋ信号に対して画像加工を行うようにしてもよいことは言うまでもない。
【００３８】
【発明の効果】
以上、説明したように、この発明によれば、画像データ生成手段により生成した画像データを蓄積手段に一旦蓄積するとともに、該蓄積した画像データを、画像出力装置が備える複数の画像形成手段の各々に対応する色信号順に、複数の画像形成装置が配置されている所定の間隔に応じた時間差を有するタイミングで供給する際、判別手段により複写禁止原稿を認識した時点で、それ以降に蓄積手段から出力される色信号の画像データに対して、加工手段により複写禁止画像の再現を防止するための加工を行うようにしたので、タンデム型のカラー複写機であっても、生産性を低下させることなく、またその多彩なページ編集機能を犠牲にすることなく、複写禁止画像の再現を防止することができるという利点が得られる。
【図面の簡単な説明】
【図１】  本発明の一実施形態による画像処理装置の構成を示すブロック図である。
【図２】  本実施形態による画像処理装置の動作を説明するためのフローチャートである。
【図３】  本実施形態による画像処理装置の動作を説明するためのタイミングチャートである。
【図４】  禁止画像の複写防止機能を有する従来のカラー複写機の略構成を示すブロック図である。
【図５】  画像蓄積部に蓄積する前に、複写禁止原稿と判定された原稿画像に対し、複写禁止の画像加工を施す従来のカラー複写機の略構成を示すブロック図である。
【図６】  従来のタンデム型のカラー複写機の動作を説明するためのタイミングチャートである。
【符号の説明】
１０１  画像読取部（画像データ生成手段）
１０２  複写禁止原稿検知部（判別手段）
１０３  画像処理部
１０６  画像出力部（画像出力装置）
１０６ａ〜１０６ｄ  画像形成部（複数の画像形成手段）
２００  ＩＩＴメモリ
２１０  画像蓄積部
２１３  符号化部
２１４  蓄積部（蓄積手段）
２１５  復号化部
２１６  ページメモリ（蓄積手段）
２１７  画像加工部（加工手段）
２１８  制御部（削除手段）
【図１】
0003769998.tif 000002
【図２】
0003769998.tif 000003
【図３】
0003769998.tif 000004
【図４】
0003769998.tif 000005
【図５】
0003769998.tif 000006
【図６】
0003769998.tif 000007